(57)【要約】【課題】光学式位置検出手段を簡易に構成することにより、低コストかつコンパクトに構成できる照明装置、座標入力装置及び電気光学装置を実現する。【解決手段】照明装置１０は、光を入射する光入射面１３ａと、該光入射面と隣接し交差する光出射面１３ｅとを有する導光板１３と、光軸が前記光入射面に向かうように前記光入射面に対向配置された照明用光源１１Ｌと、光軸が前記光入射面１３ａ、１３ｂ、１３ｃ、１３ｄに向かうように前記光入射面に対向配置された位置検出用光源１１Ａ〜１１Ｄと、前記光入射面１３ａ〜１３ｄに沿って延在し、前記照明用光源並びに前記位置検出用光源が共に実装されてなる配線基板１２と、を具備することを特徴とする。【選択図】図２
2010026966.tif 000002
【特許請求の範囲】
【請求項１】
光を入射する光入射面と、該光入射面と隣接し交差する光出射面とを有する導光板と、
光軸が前記光入射面に向かうように前記光入射面に対向配置された照明用光源と、
光軸が前記光入射面に向かうように前記光入射面に対向配置された位置検出用光源と、
前記光入射面に沿って延在し、前記照明用光源並びに前記位置検出用光源が共に実装されてなる配線基板と、
を具備することを特徴とする照明装置。
【請求項２】
前記位置検出用光源は、少なくとも前記光出射面の両側にそれぞれ形成された前記光入射面に各々対向配置された第１の位置検出用光源と第２の位置検出用光源を含むことを特徴とする請求項１に記載の照明装置。
【請求項３】
前記導光板は、前記光入射面を外縁に設けられた端面とし、前記光出射面を表面とする平面視多角形状の板状体で構成されることを特徴とする請求項１又は２に記載の照明装置。
【請求項４】
前記配線基板は、前記照明用光源及び前記位置検出用光源が長手方向に沿って配列された態様で実装されてなる帯状に構成され、前記導光板の端面に沿って周回する方向に延在することを特徴とする請求項３に記載の照明装置。
【請求項５】
前記配線基板は前記導光板の端面と対向する基板面を有し、前記照明用光源及び前記位置検出用光源は前記基板面上に実装されるとともに前記基板面と直交する光軸を備えることを特徴とする請求項４に記載の照明装置。
【請求項６】
前記配線基板は前記導光板の表面に沿った基板面を有し、前記照明用光源及び前記位置検出用光源は前記基板面上に実装されるとともに前記基板面に沿った光軸を備えることを特徴とする請求項４に記載の照明装置。
【請求項７】
前記配線基板は前記導光板の表面に沿った基板面を有し、前記照明用光源及び前記位置検出用光源は前記基板面上に実装されるとともに前記照明用光源は前記基板面に沿った光軸を備え、前記位置検出用光源は前記基板面と直交する光軸を備えることを特徴とする請求項４に記載の照明装置。
【請求項８】
前記配線基板は、前記導光板の外縁の第１の辺に沿って延在し、該第１の辺と隣接する第２の辺との間の角部で前記導光板を厚さ方向で横切るように折り返され、該第２の辺に沿ってさらに延在することを特徴とする請求項４、６又は７に記載の照明装置。
【請求項９】
前記配線基板は、前記導光板の外縁の第１の辺に沿って延在し、該第１の辺と隣接する第２の辺の間の角部で前記導光板を厚さ方向で横切るように折り返され、この折り返し部分に前記位置検出用光源が実装されることを特徴とする請求項４、６乃至８のいずれか一項に記載の照明装置。
【請求項１０】
複数の前記照明用光源が前記導光板の外縁の少なくとも一つの辺に沿って配列され、複数の前記位置検出用光源が前記導光板の外縁の複数の辺若しくは隣接する辺間の角部にそれぞれ対向配置されることを特徴とする請求項４乃至９のいずれか一項に記載の照明装置。
【請求項１１】
請求項１乃至１０のいずれか一項に記載の照明装置と、前記導光板の光出射側に配置され、前記位置検出用光源から放射される光を前記導光板を介して検出する光検出手段と、を具備することを特徴とする座標入力装置。
【請求項１２】
請求項１１に記載の座標入力装置と、前記光出射面の光出射側に配置された電気光学パネルと、を具備することを特徴とする電気光学装置。
【請求項１３】
請求項１２に記載の電気光学装置と、該電気光学装置の制御手段とを有することを特徴とする電子機器。
【発明の詳細な説明】
【技術分野】
【０００１】
本発明は照明装置、座標入力装置、電気光学装置及び電子機器に係り、特に、光学式位置検出手段を備えた表示機器に用いる場合に好適な照明装置の構成に関する。
【背景技術】
【０００２】
一般に、液晶表示体などの電気光学装置を備えた表示機器には、表示画面を視認可能とするために、或いは、その視認性を高めるために、バックライト等の照明装置が用いられる場合がある。また、上記表示機器には、表示画面にタッチパネル等の指示位置検出手段が設けられる場合もあり、この場合には、表示画面の特定箇所をペンや指などで指示することで、当該指示位置が検出され、情報処理装置等に入力される。
【０００３】
上記のタッチパネル等の指示位置検出手段（位置座標入力手段）としては、表示画面への接触状態を機械的・電気的に検出するための静電容量式若しくは抵抗膜式等のタッチパネルが知られている他、例えば、表示画面に沿って多数の赤外線を縦横に走らせるとともにこれらの赤外線を検出する光検出器を対応して設けることで、これらの赤外線を指等で遮断したときに当該指等の位置座標を検出可能とした光学式タッチパネルが知られている。一般に光学式タッチパネルといっても種々のものが知られているが、例えば、以下の特許文献１及び２に記載されているものがある。
【特許文献１】特開２００４−２９５６４４号公報
【特許文献２】特開２００４−３０３１７２号公報
【発明の開示】
【発明が解決しようとする課題】
【０００４】
しかしながら、前述の光学式タッチパネルでは、表示画面の近傍に検出すべき位置座標の分解能に対応する多数の光源及び光検出器或いは光スイッチや導光構造などを配列させる必要があるので、構造が複雑になるとともに、光学素子の数が多くなるために高い製造コストを負担しなければならないという問題点がある。
【０００５】
また、上記のように複雑な構造を設けることで装置の厚みが増大したり、或いは、これを防止するために外周側に構造を設けると装置の外形が拡大するという問題点もある。
【０００６】
そこで、本発明は上記問題点を解決するものであり、光学式位置検出手段を簡易に構成することにより、低コストかつコンパクトに構成できる照明装置、座標入力装置及び電気光学装置（表示装置）を実現することにある。
【課題を解決するための手段】
【０００７】
斯かる実情に鑑み、本発明の照明装置は、光を入射する光入射面と、該光入射面と隣接し交差する光出射面とを有する導光板と、光軸が前記光入射面に向かうように前記光入射面に対向配置された照明用光源と、光軸が前記光入射面に向かうように前記光入射面に対向配置された位置検出用光源と、前記光入射面に沿って延在し、前記照明用光源並びに前記位置検出用光源が共に実装されてなる配線基板と、を具備することを特徴とする。
【０００８】
この発明によれば、導光板の光入射面に対向配置された照明用光源と位置検出用光源とが共通の配線基板に実装されることで、位置検出手段を構成する位置検出用光源を照明装置と一体化しつつ光源の実装構造も簡易化できるため、製造コストの低減及び装置のコンパクト化を図ることができる。
【０００９】
本発明の一の態様においては、前記位置検出用光源は、少なくとも前記光出射面の両側にそれぞれ形成された前記光入射面に各々対向配置された第１の位置検出用光源と第２の位置検出用光源とを含む。第１の位置検出用光源と第２の位置検出用光源とが光出射面を挟んだ両側に配置されることで、両光源から放射された光を光出射面から出射させ、光出射面上に配置される対象物体による反射光を検出することによって、光出射面上の当該対象物体の位置を検出することが可能になる。
【００１０】
本発明の他の態様においては、前記導光板は、前記光入射面を外縁に設けられた端面とし、前記光出射面を表面とする平面視多角形状の板状体で構成される。これによれば、いわゆるエッジライト型の照明装置において照明用光源から放射された照明光と、位置検出用光源から放射された位置検出光とをそれぞれ光出射面から並行して出射する面状照明体を構成できる。
【００１１】
この場合において、前記配線基板は、前記照明用光源及び前記位置検出用光源が長手方向に沿って配列された態様で実装されてなる帯状に構成され、前記導光板の端面に沿って周回する方向に延在することが好ましい。これによれば、光源を長手方向に配列させた態様で実装する帯状の配線基板が導光板の端面に沿って周回する方向に延在することで、配線基板の面積を最小限とすることができるので製造コストを低減でき、また、配線基板を導光板の端面に沿ってコンパクトに設置できるため、装置のコンパクト化を図ることができる。
【００１２】
このとき、前記配線基板は前記導光板の端面と対向する基板面を有し、前記照明用光源及び前記位置検出用光源は前記基板面上に実装されるとともに前記基板面と直交する光軸を備えることが好ましい。これによれば、配線基板が導光板の端面と対向する基板面を有し、照明用光源及び位置検出用光源を基板面上に実装されて該基板面と直交する光軸を備える、いわゆるトップビュー型の光源（実装面と発光面とが表裏反対側に設けられているチップ状光源、例えば、トップビュータイプのＬＥＤなど）とすることで、配線基板の取り回しが容易になるとともに、導光板の外側への張出量を低減することが容易になるので、照明装置の外形を小さく構成することができる。
【００１３】
また、前記配線基板は前記導光板の表面に沿った基板面を有し、前記照明用光源及び前記位置検出用光源は前記基板面上に実装されるとともに前記基板面に沿った光軸を備えることが好ましい。これによれば、照明用光源及び位置検出用光源を、前記基板面上に実装されるとともに前記基板面に沿った光軸を備える、いわゆるサイドビュー型の光源（実装面と発光面とが隣接し交差する面に設けられているチップ状光源、例えば、サイドビュータイプのＬＥＤなど）とすることで、配線基板を導光板の表面に沿った基板面を有する姿勢で配置できるので、配線基板の設置が容易になる。
【００１４】
このときにはさらに、前記配線基板は前記導光板の表面に沿った基板面を有し、前記照明用光源及び前記位置検出用光源は前記基板面上に実装されるとともに前記照明用光源は前記基板面に沿った光軸を備え、前記位置検出用光源は前記基板面と直交する光軸を備えることが好ましい。これによれば、照明用光源をサイドビュー型の光源とし、位置検出用光源をトップビュー型の光源とすることができるため、各種光源をそれぞれの用途（照明用と位置検出用）に応じて異なる形式の光源とすることが可能になる。
【００１５】
また、前記配線基板は、前記導光板の外縁の第１の辺に沿って延在し、該第１の辺と隣接する第２の辺との間の角部で前記導光板を厚さ方向で横切るように折り返され、該第２の辺に沿ってさらに延在することが望ましい。これによれば、隣接する二辺の間の角部で配線基板を折り返すことで、配線基板の形状を直線的に伸びる帯状に構成した場合でも、基板面が導光板の表面に沿った姿勢で配線基板を設置することができる。したがって、配線基板の基板面の平面形状を導光板の外縁の隣接する二辺に沿ったＬ字状に構成するなどといった必要がなくなるので、配線基板の製造コストを低減でき、組立前の取り扱い性も向上できる。
【００１６】
また、前記配線基板は、前記導光板の外縁の第１の辺に沿って延在し、該第１の辺と隣接する第２の辺の間の角部で折り返され、この折り返し部分に前記位置検出用光源が実装されることが望ましい。これによれば、配線基板の折り返し部分に位置検出用光源が実装されることで、導光板の隣接する辺の間の角部に位置検出用光源を配置することができる。なお、折り返し部分の中心部の内面上に実装した位置検出用光源としてはトップビュー型の光源を用いることができるが、当該位置検出用光源の実装位置を折り返し部分の中心から外れた位置とすることでサイドビュー型の光源を用いることも可能である。
【００１７】
さらに、本発明の別の態様においては、複数の前記照明用光源が前記導光板の外縁の少なくとも一つの辺に沿って配列され、複数の前記位置検出用光源が前記導光板の外縁の複数の辺若しくは隣接する辺間の角部にそれぞれ対向配置される。これによれば、複数の照明用光源を少なくとも一つの辺に沿って配列することで、導光板の光出射面の照明輝度の均一性を高めることができるとともに、複数の位置検出用光源を複数の辺若しくは隣接する辺間の角部にそれぞれ対向配置させる（すなわち、複数の辺にそれぞれ対向配置させる場合、或る辺と角部にそれぞれ対向配置させる場合、複数の角部にそれぞれ対向配置させる場合のいずれをも含む。）ことで、位置検出用光源の間の距離を十分に離間させることができるため、位置検出を容易に行うことが可能になる。
【００１８】
また、本発明の座標入力装置は、上記照明装置と、前記導光板の光出射側に配置され、前記位置検出用光源から放射される光を前記導光板を介して検出する光検出手段と、を具備することを特徴とする。以上説明した照明装置は、上記構成にさらに導光板の光出射側に上記位置検出用光源から放射される光を検出する光検出手段（光センサ）を配置することで、導光板の光出射面上の位置座標を入力するための座標入力装置として構成できる。この場合、上記位置検出用光源の光放射状態を制御するとともに光検出手段の検出信号に基づいて上記位置座表を取得する制御手段が設けられる。
【００１９】
次に、本発明の電気光学装置は、上記の座標入力装置と、前記光出射面の光出射側に配置された電気光学パネルと、を具備することを特徴とする。上記の照明装置を用いることで、電気光学パネルの照明と、光学式位置検出手段の組み込みとを簡易な構成で実現できるため、製造コストの低減や装置のコンパクト化を図ることができる。
【００２０】
また、本発明の電子機器は、上記に記載の電気光学装置と、該電気光学装置の制御手段とを有することを特徴とする。このような電子機器としては、テレビジョン受像機、各種のモニタ装置、携帯電話機、電子時計、カーナビゲーション装置、メータクラスターパネル装置など車載用の各種の表示機器などが挙げられる。
【発明を実施するための最良の形態】
【００２１】
次に、添付図面を参照して本発明の実施形態について詳細に説明する。
【００２２】
［第１実施形態］図１は本発明に係る第１実施形態の照明装置及び電気光学装置の構成を模式的に示す概略断面図、図２は照明装置の光源及び導光板を示す平面図（ａ）及び配線基板の平面図（ｂ）である。ここで、図２（ｂ）においては、図示の都合上、配線基板を図示一点鎖線で示す切断線で分離して示してある。なお、この点は以下の図３（ｂ）及び図４（ｂ）も同様である。
【００２３】
本実施形態の照明装置１０は、照明光Ｌ１を放出する照明用光源１１Ｌと、位置検出光Ｌａ、Ｌｂ、Ｌｃ、Ｌｄを放出する位置検出用光源１１Ａ、１１Ｂ、１１Ｃ、１１Ｄと、これらの光源がそれぞれ実装されている配線基板１２と、上記光源から放射された光が入射し、この光を出射する導光板１３と、導光板１３の背後に配置される反射板１４と、上記位置検出光の出射側に配置された光検出器１５とを備えている。
【００２４】
また、導光板１３はアクリル樹脂やポリカーボネート樹脂等の透明導光体からなり、平面視多角形状（図示例では平面視矩形状）の板状体で構成される。導光板１３の外縁の辺１３Ａ、１３Ｂ、１３Ｃ、１３Ｄには、それぞれの端面で構成される光入射面１３ａ、１３ｂ、１３ｃ、１３ｄと、この光入射面と隣接するとともに交差（図示例では直交）する表面で構成される光出射面１３ｅと、この光出射面１３ｅの反対側の背面１３ｆとを有する。さらに、導光板１３の光出射側には、必要に応じて、照明光の均一化を図るための光拡散板、照明光の指向性を高めるためのプリズムシート等の集光板などの光学シート１６が適宜に配置される。
【００２５】
上記照明装置１０の光出射側には、透過型の液晶表示体等よりなる電気光学パネル２０が配置される。この電気光学パネル２０は、たとえば、透明な基板２１と２２をシール材２３で貼り合わせ、基板間に液晶２４を配置してなり、この液晶２４の配向状態を図示しない電極によりそれぞれ制御可能に構成した複数の画素を備えている。なお、必要に応じて基板２１及び２２の外面側には偏光板（図示せず）が配置される。各画素は、半導体ＩＣチップ等よりなる駆動回路２５が出力する駆動信号によって駆動され、画素ごとに所定の透過状態となるように制御される。
【００２６】
電気光学パネル２０の照明装置１０とは反対側には光透過性を有する表装板３０が配置され、この表装板３０の外面（電気光学パネル２０とは反対側の面）上に光検出器１５が配置される。この光検出器１５はフォトダイオード等の受光素子であり、上記位置検出光の強度を検出可能となるように構成される。例えば、後述するように位置検出光が赤外線であれば、光検出器１５も赤外線に感度を有する受光素子で構成される。
【００２７】
照明用光源１１Ｌは例えばＬＥＤ（発光ダイオード）等の発光素子で構成され、図示しない駆動回路から出力される駆動信号に応じて例えば白色の照明光Ｌ１を放出する。図２に示すように、複数の照明用光源１１Ｌが一つの辺１３Ａに設けられた光入射面１３ａに沿って配列される。
【００２８】
位置検出用光源１１Ａ〜１１Ｄは例えばＬＥＤ（発光ダイオード）等の発光素子で構成され、図示しない駆動回路から出力される駆動信号に応じて例えば赤外線である位置検出光Ｌａ〜Ｌｄを放出する。位置検出光は特に限定されないが、後述する信号処理等によって上記照明光Ｌ１や外光と区別して検出可能なものが好ましく、上記照明光Ｌ１とは波長分布や発光態様が異なることが好ましい。また、本発明の対象物体Ｏｂにより効率的に反射される波長域を有することが好ましい。例えば対象物体Ｏｂが指等の人体であれば、人体の表面で反射率の高い赤外線（特に可視光領域に近い近赤外線）であることが望ましい。位置検出用光源１１Ａ〜１１Ｄは本質的に複数設けられ、相互に異なる位置から位置検出光を放出するように構成される。
【００２９】
図２に示すように、上記照明用光源１１Ｌ及び位置検出用光源１１Ａ〜１１Ｄは共通の配線基板１２に実装される。配線基板１２は図２（ｂ）に示すように直線状に伸びる帯状に形成され、ポリイミド樹脂等の可撓性を有する基材の表面若しくは内部に所定の配線パターンが形成されたものである。配線基板１２の一方の端部には、電気光学装置の内部若しくは外部の配線基板、コネクタ等の配線部材に接続可能に構成された細幅の接続端子部１２ａが設けられる。この配線基板１２に形成された配線パターンは、それぞれ上記複数の照明用光源１１Ｌと複数の位置検出用光源１１Ａ〜１１Ｄに接続される。通常、照明用光源１１Ｌに接続される配線と、位置検出用光源１１Ａ〜１１Ｄに接続される配線とは少なくとも一方の電位供給ラインにおいて異なる配線で構成されることが好ましい。
【００３０】
配線基板１２の基板面（図２（ａ）に示す平面図において導光板１３の端面に対向する面、また、図２（ｂ）に示す平面図の紙面に沿った表面）１２ｂには、配線基板１２の帯形状の長手方向に沿って上記照明用光源１１Ｌ及び上記位置検出用光源１１Ａ〜１１Ｄが一列に配列された状態で実装される。照明用光源１１Ｌ及び位置検出用光源１１Ａ〜１１Ｄはいずれもトップビュー型の光源（配線基板１２に対する実装面と光放射面とが表裏逆側にあるもの）である。配線基板１２は、上記基板面１２ｂを導光板１３の端面（後述する光入射面１３ａ〜１３ｄ）に対向させ、基板面１２ｂとは反対側の裏面１２ｃを外側に向けた姿勢で、導光板１３の外縁に沿って周回方向に延在している。
【００３１】
導光板１３は平面視矩形状に構成され、その互いに対向する辺の端面にそれぞれ上記光入射面１３ａ〜１３ｄが設けられる。配線基板１２は導光板１３の各辺１３Ａ〜１３Ｄに沿って延在し、上記基板面１２ｂを導光板１３の光入射面１３ａ〜１３ｄに対向させた姿勢で設置される。光入射面１３ａにはその辺１３Ａに沿って複数の照明用光源１１Ｌが配列される。
【００３２】
照明光Ｌ１は光入射面１３ａから内部に採り込まれ、その内部を反対側の外縁部（光入射面１３ｃ）へ向けて伝播していく。本実施形態の導光板１３は本質的に光入射面１３ａ側から反対側の外縁部（図示例では光入射面１３ｃ）に向けて内部伝播光に対する光出射面１３ｅからの出射光の光量比率が単調に増加する導光構造を有している。この導光構造は、例えば、導光板１３の光出射面１３ｅ又は背面１３ｆに形成された光偏向用若しくは光散乱用の微細な凹凸形状の屈折面の面積、印刷層の形成密度などを上記内部伝播方向に向けて徐々に高めることで実現される。このような導光構造を設けることで、一方の端面である光入射面１３ａから入射した照明光Ｌ１は光出射面１３ｅからほぼ均一に出射され、その結果、導光板１３が面状光源として機能するように構成される。
【００３３】
また、本実施形態では、光入射面１３ａに隣接する光出射側の表面部分（光出射面１３ｅの外周部）には傾斜面１３ａｇが設けられ、これにより導光板１３の外周部では光入射面１３ａに向けて導光板１３の厚みが徐々に増加するように構成される。この傾斜面１３ａｇを有する入光構造によって光出射面１３ｅが設けられる部分の厚みの増加を抑制しつつ、光入射面１３ａの高さを大きくして照明用光源１１Ｌの光放射面の高さと対応するように形成される。これは、近年の表示装置の薄型化の要請に応えるために導光板１３の厚みを小さくしつつ、小型化が進展していないＬＥＤ等の発光素子（照明用光源１１Ｌ）からの放出光の採り込み効率を高めて照明輝度を向上させるためである。
【００３４】
光入射面１３ａに対向配置される位置検出用光源１１Ａは、上記照明用光源１１Ｌの列の内部（すなわち、辺１３Ａ若しくは光入射面１３ａの幅方向中央部）に配置される。また、他の辺１３Ｂ〜１３Ｄにおいては、光入射面１３ｂ〜１３ｄにそれぞれ対向配置される位置検出用光源１１Ｂ〜１１Ｄは、辺１３Ｂ〜１３Ｄ若しくは光入射面１３ｂ〜１３ｄの幅方向中央部にそれぞれ配置される。これによって各位置検出光Ｌａ〜Ｌｄの導光板１３に対する入光位置を相互に離間させることができ、特に、相互に対向する位置検出光ＬａとＬｃ、ＬｂとＬｄの入光位置を光出射面１３ｅの両側に配置することができる。したがって、各位置検出光による後述する位置検出（導光板１３の各辺１３Ａ〜１３Ｄに沿った方向の位置座標の検出）の精度を高めることができる。
【００３５】
なお、本実施形態では、光入射面１３ａに対向配置された位置検出用光源１１Ａと、光入射面１３ｃに対向配置された位置検出用光源１１Ｃとによって光入射面１３ａと光入射面１３ｃを結ぶ方向の位置座標の検出を行う。また、光入射面１３ｂに対向配置された位置検出用光源１１Ｂと、光入射面１３ｄに対向配置された位置検出用光源１１Ｄとによって光入射面１３ｂと光入射面１３ｄを結ぶ方向の位置座標の検出が行われる。ただし、このような位置座標の検出自体は、各位置検出用光源１１Ａ〜１１Ｄをそれぞれ各辺１３Ａ〜１３Ｄの中央位置以外の位置（例えば端部寄り又は角部の位置）に配置しても行うことができる。
【００３６】
上記のように構成された第１実施形態においては、照明光Ｌ１は、光入射面１３ａから導光板１３に入射した後に内部を伝播しながら徐々に光出射面１３ｅの全体から面状に出射し、電気光学パネル２０を通過した後、表装板３０を透過して視認側に出射する。この照明光Ｌ１は、電気光学パネル２０の各画素の光透過率がそれぞれ制御されることで形成される表示画像を視認可能に構成する。
【００３７】
一方、位置検出光Ｌａ〜Ｌｄも、光入射面１３ａ〜１３ｄから導光板１３に入射した後に内部を伝播しながら徐々に光出射面１３ｅの全体から面状に出射し、電気光学パネル２０及び表装板３０を透過して出射する。このとき、表装板３０の表面上に対象物体Ｏｂが存在すると、この対象物体Ｏｂによる反射光が表装板３０上に配置された光検出器１５で検出される。そして、光検出器１５で検出される反射光の光量には、上記の複数の位置検出光Ｌａ〜Ｌｄの寄与が含まれる。
【００３８】
なお、光検出器１５を設ける位置は表装板３０上に限られず、図示の光検出器１５′のように、電気光学パネル２０の内部に設置されていてもよく、或いは、導光板１３の表面上や背面上といった、対象物体Ｏｂからの反射光を検出可能な位置であればいずれに配置されていても構わない。
【００３９】
次に、上記光検出器１５での検出に基づいて対象物体Ｏｂの位置情報の取得方法について説明する。この位置情報の取得方法は種々のものが考えられるが、例えば、その一例として、二つの位置検出光の検出光量の比率に基づいてそれらの減衰係数の比率を求め、この減衰係数の比率から両位置検出光の伝播距離を求めることにより、対応する二つの光源を結ぶ方向の位置座標を求める方法が挙げられる。
【００４０】
より具体的には、第１の位置検出用光源として１１Ａを、第２の位置検出用光源として１１Ｃを用いる場合を挙げて説明すると、第１の位置検出用光源１１Ａの制御量（例えば電流量）、変換係数及び放出光量をＩａ、ｋａ及びＥａ、第２の位置検出用光源１１Ｃの制御量（電流量）、変換係数及び放出光量をＩｃ、ｋ及びＥｃとすれば、Ｅａ＝ｋ・Ｉａ、Ｅｃ＝ｋ・Ｉｃとなる。また、第１の位置検出光Ｌａの減衰係数及び検出光量をｆａ及びＧａ、第２の位置検出光Ｌｃの減衰係数及び検出光量をｆｃ及びＧｃとすれば、Ｇａ＝ｆａ・Ｅａ＝ｆａ・ｋ・Ｉａ、Ｇｃ＝ｆｃ・Ｅｃ＝ｆｃ・ｋ・Ｉｃとなる。
【００４１】
したがって、光検出器１５において両位置検出光の検出光量の比であるＧａ／Ｇｃが検出できるとすれば、Ｇａ／Ｇｃ＝（ｆａ・Ｅａ）／（ｆｃ・Ｅｃ）＝（ｆａ／ｆｃ）・（Ｉａ／Ｉｃ）となるから、放出光量の比Ｅａ／Ｅｃ及び制御量の比Ｉａ／Ｉｃに相当する値が分かれば、減衰係数の比ｆａ／ｆｃが判明する。この減衰係数の比と両位置検出光の伝播距離の比との間には正の相関があるので、この相関関係を予め設定しておくことで、対象物体Ｏｂの位置情報（第１の位置検出用光源から第２の位置検出用光源へ向かう方向の位置座標を得ることができる。
【００４２】
上記減衰係数の比ｆａ／ｆｃを求める方法としては、例えば、第１の位置検出用光源１１Ａと第２の位置検出用光源１１Ｃを逆相で点滅（例えば、矩形波状若しくは正弦波状の駆動信号を伝播距離の差に起因する位相差が無視できる周波数で相互に１８０度の位相差を持つように動作）させた上で、検出光量の波形を解析する。より現実的には、例えば、一方の制御量Ｉａを固定し（Ｉａ＝Ｉｍ）、検出波形が観測できなくなるように（すなわち、検出光量の比Ｇａ／Ｇｃが０となるように）他方の制御量Ｉｃを制御し、このときの制御量Ｉｃ＝Ｉｍ・（ｆａ／ｆｃ）から上記減衰係数の比ｆａ／ｆｃを導出する。
【００４３】
また、両制御量の和が常に一定Ｉｍ＝Ｉａ＋Ｉｃとなるように制御してもよい。この場合には、Ｉｃ＝Ｉｍ・ｆｃ／（ｆａ＋ｆｃ）となるので、ｆｃ／（ｆａ＋ｆｃ）＝αとすると、ｆａ／ｆｃ＝（１−α）／αにより、減衰係数の比が求まる。
【００４４】
本実施形態の場合、対象物体Ｏｂの導光板１３における辺１３Ａと１３Ｃの中点同士を結ぶ方向の位置情報（位置座標）は、第１の位置検出用光源１１Ａと、第２の位置検出用光源１１Ｃとを相互に逆相で駆動することで取得することができる。また、対象物体Ｏｂの導光板１３における辺１３Ｂと１３Ｄの中点同士を結ぶ方向の位置情報（位置座標）は、第１の位置検出用光源１１Ｂと、第２の位置検出用光源１１Ｄを相互に逆相で駆動することで取得することができる。したがって、制御系において上記２方向の検出動作を切り換えることで、対象物体Ｏｂの平面上の位置座標を取得できる。なお、複数の位置検出光を光源より同相で放出し、位置検出光間の位相差を検出することで上記座標平面と直交するＺ方向の位置情報を得ることも可能である。
【００４５】
本実施形態によれば、特に画素ごとに光変調状態を制御するタイプの電気光学パネルを照明しつつ、その表示画面上の対象物体Ｏｂの位置情報を検出することができるが、共通の導光板１３を照明用と位置検出用の双方に利用することができるので、構造を簡易に構成できるため、製造コストを低減できるとともにコンパクト化を図ることができる。特に、従来の表示画面上に多数の光源や光検出器、或いは、光スイッチ等を配列させる方法に比べると、位置検出用の素子数を大幅に低減することができるため、大幅な構造の簡易化、製造コストの低減、及び消費電力の低減を図ることができる。
【００４６】
また、本実施形態では、複数の照明用光源１１Ｌと複数の位置検出用光源１１Ａ〜１１Ｄが共に配線基板１２の基板面１２ｂ上に実装されているので、配線基板１２が可撓性を備えていることもあって、装置の組み立て時における手間を軽減できるとともに、導光板１３の外縁の複数の辺に沿って端面の外側に単一の配線基板１２をコンパクトに配置できるから外形寸法を低減でき、特に、上記配線基板１２は導光板１３の外縁の端面と対向する基板面１２ｂを有するように設置されるので、照明装置１０の照明範囲の外側に必要とされる額縁領域の幅を小さく構成できる。また、この場合にはいわゆるトップビュー型の光源を用いることができる。
【００４７】
さらに、本実施形態では、直線状に延びる帯状の配線基板１２を用いることができるので、配線基板の取り数を高め、製造効率を高めることができるため、製造コストを低減できるという利点もある。
【００４８】
［第２実施形態］
次に、図３を参照して本発明に係る第２実施形態について説明する。本実施形態では、上述の第１実施形態と同一部分には同一符号を付し、それらの説明は省略する。
【００４９】
本実施形態が第１実施形態と異なる点は、本実施形態の導光板１３′の各辺１３Ａ〜１３Ｄの間の角部１３ａｂ、１３ｂｃ、１３ｃｄ、１３ｄａにそれぞれ位置検出用光源１１Ａ〜１１Ｄが対向配置されている。導光板１３′の上記角部は斜めにカットされ、隣接する両側のいずれの辺に対しても傾斜し、位置検出用光源１１Ａ〜１１Ｄの光放射面と正対した平坦な光入射部が設けられる。
【００５０】
本実施形態では、導光板１３′の辺１３Ａに沿って配列された複数の照明用光源１１Ｌの列の両側に、位置検出用光源１１Ａと１１Ｄがそれぞれ配置される態様で配線基板１２の基板面１２ｂに実装されている。
【００５１】
本実施形態では、相互に所定の位相関係とされた、位置検出用光源１１Ａから放射される光と、１１Ｃから放射される光とによって前述と同様に導光板１３′の角部１３ａｂと１３ｃｄを結ぶ方向の位置情報を取得することができる。また、相互に所定の位相関係とされた、位置検出用光源１１Ｂから放射される光と、位置検出用光源１１Ｄから放射される光とによって前述と同様に導光板１３′の角部１３ｂｃと１３ｄａを結ぶ方向の位置情報を取得することが可能である。さらに、相互に所定の位相関係とされた、位置検出用光源１１Ａ及び１１Ｂから放射される光と、位置検出用光源１１Ｃ及び１１Ｄから放射される光とによって、辺１３Ａ、１３Ｃに沿った方向の位置情報を取得することができ、相互に所定の位相関係とされた、位置検出用光源１１Ａ及び１１Ｄから放射される光と、位置検出用光源１１Ｂ及び１１Ｃから放射される光とによって、辺１３Ｂ、１３Ｄに沿った方向の位置情報を取得することもできる。
【００５２】
この実施形態では、位置検出用光源１１Ａ〜１１Ｄが導光板１３′の角部１３ａｂ、１３ｂｃ、１３ｃｄ、１３ｄａに対向配置されるので、辺１３Ａに沿って配列される複数の照明用光源１１Ｌの配列態様に影響を与えずに位置検出用光源を配置することができる。
【００５３】
また、位置検出用光源１１Ａ〜１１Ｄが対向配置される上記角部１３ａｂ、１３ｂｃ、１３ｃｄ、１３ｄａがカットされた形状で平坦に構成されるので、位置検出用光源から放射された光を効率的に導光板１３の内部に取り込むことができる。
【００５４】
［第３実施形態］
次に、図４を参照して本発明に係る第３実施形態について説明する。本実施形態では、上述の第２実施形態と同一部分には同一符号を付し、それらの説明は省略する。
【００５５】
本実施形態は第２実施形態と同様の導光板１３′を有するが、本実施形態が第２実施形態と異なる点は、第２実施形態では第１実施形態と同様に配線基板１２の基板面１２ｂが導光板１３′の端面（光入射面１３ａ、１３ｂ、１３ｃ、１３ｄ）に対向するように配置されているのに対し、本実施形態の配線基板１２′は、基板面１２ｂ′が導光板１３′の表面（光入射面１３ｅ、背面１３ｆ）に沿う姿勢で配置されている点で異なる。また、これに対応して、本実施形態の照明用光源１１Ｌ′はサイドビュー型の光源（配線基板１２′に対する実装面と光放射面とが交差（直交）するもの）となっている。
【００５６】
照明用光源１１Ｌ′が対向配置された導光板１３′の辺１３Ａに沿った領域では、光入射面１３ａにサイドビュー型の照明用光源Ｌ′を対向配置させるために、配線基板１２′の基板面１２ｂ′導光板１３′の背面１３ｆに沿って（背面１３ｆのさらに背面側に）配置される。しかし、辺１３Ａと１３Ｂ及び１３Ｄとの間の角部で表裏が反対となるとともに延在方向が直角に屈折して導光板１３′を厚さ方向に横切るように折り返され、辺１３Ｂ及び１３Ｄに沿って延在する部分の基板面１２ｂ′が導光板１３′の端面１３ｂ、１３ｄに沿って光出射面１３ｅの周縁部上に配置されるように構成される。
【００５７】
すなわち、配線基板１２′は、辺１３Ａに沿って導光板１３′の背面１３ｆ（図１参照）側において基板面１２ｂ′を導光板１３′の背面１３ｆに向けた姿勢で延在するが、両側の角部において折り返されることで、延在方向を９０度変えて辺１３Ｂ及び１３Ｄに沿って伸び、導光板１３′の表面側において基板面１２ｂ′を光出射面１３ｅに向けた姿勢で、つまり基板面１２ｂ′とは反対側の裏面１２ｃ′を上方（光出射側）に向けた姿勢で延在している。したがって、配線基板１２′は全体として辺１３Ａ、１３Ｂ及び１３Ｄに沿った平面視コ字状に構成される。
【００５８】
また、配線基板１２′の上記端部は辺１３Ｂ及び１３Ｄと辺１３Ｃとの間の角部においてさらに導光板１３′の厚さ方向に折り返されている。そして、これらの計４箇所の折り返し部分にはそれぞれ位置検出用光源１１Ａ〜１１Ｄが実装されている。各折り返し部分では、位置検出用光源１１Ａ〜１１Ｄが折り返し部分の内側に配置される態様で実装され、その光放射面は第２実施形態と同様にカットされた形状の導光板１３′の角部１３ａｂ、１３ｂｃ、１３ｃｄ、１３ｄａに対向する。すなわち、位置検出用光源１１Ａ〜１１Ｄはトップビュー型の光源とされ、その実装面は上記折り返し部分の内面上に固定され、実装面と反対側の面が光放射面であって導光板１３′の角部に対向配置される。
【００５９】
上記の配線基板１２′の折り返し部分の中心線１２ａｂ′、１２ｂｃ′、１２ｃｄ′、１２ｄａ′は、配線基板１２′の長手方向若しくはこれと直交する方向に対し折り返し角度（図示例では９０度）に応じた角度分（図示例では４５度）傾斜している。そして、位置検出用光源１１Ａ〜１１Ｄもまた、上記中心線１２ａｂ′、１２ｂｃ′、１２ｃｄ′、１２ｄａ′に沿って傾斜した姿勢で実装される。これによって、位置検出用光源１１Ａ〜１１Ｄは配線基板１２′の折り返し部分でそれぞれ角部に対向する姿勢とされる。
【００６０】
なお、本実施形態では、折り返し線１２ｂｃ′に隣接し平行なもう一つの折り返し線で再度配線基板１２′を導光板１３′の厚さ方向に折り返し、端部に設けられた接続端子部１２ａが辺１３Ｂに沿った方向に突出している。このようにすると、接続端子部１２ａを導光板１３′と重ならない位置に導出できる。
【００６１】
本実施形態では、照明用光源１１Ｌ′としてサイドビュー型の光源を用いることができる。このことは、一般には照明装置の薄型化を向上させる。また、この場合においても、配線基板１２′を直線状に延びる帯状とすることができるため、製造コスト上の利点を有する。
【００６２】
本実施形態では、位置検出用光源１１Ａ〜１１Ｄを第１実施形態と同様のトップビュー型の光源としている。この場合、サイドビュー型の光源とした照明用光源１１Ｌ′と異なる形式とすることで、照明用と位置検出用のそれぞれの用途に応じた光源の最適化が可能になる。ただし、たとえば、折り返し部分の内面上において上記中心線から外れた前後位置に実装することで、サイドビュー型の光源を用いることもできる。このサイドビュー型の光源を用いた場合でも、上記と同様に配線基板１２′の長手方向に対し傾斜した姿勢で実装される。いずれにしても、位置検出用光源１１Ａ〜１１Ｄは、本実施形態の配線基板１２′と導光板１３′の角部との間に完全に包摂された状態とされるので、導光板１３′に対する位置決めを容易に行うことができ、導光板１３′に対して取付保持することで、ユニット化を図ることができる。
【００６３】
［第４実施形態］
次に、図５を参照して本発明に係る第４実施形態について説明する。本実施形態では、上述の第３実施形態と同一部分には同一符号を付し、それらの説明は省略する。なお、図５（ｂ）は本実施形態の配線基板１２Ａ′、１２Ｃ′のうち、配線基板１２Ａ′のみを示すが、後述するように配線基板１２Ｃ′は配線基板１２Ａ′と基本的に同様に構成されるので、図示を省略する。
【００６４】
図５（ａ）に示すように、本実施形態は第３実施形態と同様の照明用光源１１Ｌ′を導光板１３′の光入射面１３ａに沿って配列させるとともに、位置検出用光源１１Ａ〜１１Ｄを導光板１３′の角部１３ａｂ、１３ｂｃ、１３ｃｄ、１３ｄａにそれぞれ対向配置させたものであるが、本実施形態では、導光板１３′の辺１３Ａに沿った配線基板１２Ａ′と、辺１３Ｃに沿った配線基板１２Ｃ′の２つにそれぞれ位置検出用光源１１Ａ及び１１Ｄと１１Ｂ及び１１Ｃを実装してなる点で異なる。
【００６５】
図５（ｂ）に示すように、配線基板１２Ａ′は、複数の照明用光源１１Ｌ′が導光板１３′の辺１３Ａの光入射面１３ａに沿って配列する態様で実装されているとともに、導光板基板面１２ｂ′が導光板１３′の表面に沿った姿勢で配置される。また、配線基板１２Ａ′の両端部には位置検出用光源１１Ａ及び１１Ｄがそれぞれ第３実施形態と同様に折り返し部分の中心線１２ａｂ′、１２ｄａ′に沿って配線基板１２Ａ′の長手方向に対し傾斜した姿勢で実装される。当該両端部は第３実施形態と同様に折り返されてその内側に配置された位置検出用光源１１Ａ及び１１Ｄが角部１３ａｂ、１３ｄａに対向配置される。さらに、一方の端部には接続端子部１２Ａａ′が突設される。
【００６６】
一方、配線基板１２Ｃ′は上記配線基板１２Ａ′と基本的に同一に構成されるので、以下においては図５（ａ）に示す符号に沿って説明し、図５（ｂ）における図示を省略する。配線基板１２Ｃ′は辺１３Ｃに沿って延在し、その両端部に位置検出用光源１１Ｂ及び１１Ｃが折り返し部分の中心線１２ｂｃ′、１２ｃｄ′に沿って配線基板１２Ｃ′の長手方向に対し傾斜した姿勢で実装される。両端部１２Ｃ１′、１２Ｃ２′は上記と同様に折り返され、その折り返し部分の内側において位置検出用光源１１Ｂ及び１１Ｃが上記角部１３ｂｃ、１３ｃｄに対向配置されている。さらに、一方の端部には接続端子部１２Ｃａ′が突設される。
【００６７】
本実施形態では、配線基板１２Ａ′において照明用光源１１Ｌ′と位置検出用光源１１Ａ及び１１Ｄが共に実装されている点で上記各実施形態（特に第３実施形態）と共通するが、もう一つの配線基板１２Ｃ′に位置検出用光源１１Ｂ及び１１Ｃが実装され、配線基板１２Ａ′と１２Ｃ′とが導光板１３′の相互に対向する辺１３Ａと１３Ｃに沿って配置される点では異なる。ただし、このように構成しても、導光板１３′の周囲の張り出し量を低減することができ、照明装置の構造の簡易化を図ることができる。
【００６８】
なお、本実施形態において、配線基板１２Ｃ′においても辺１３Ｃの光入射面１３ｃに沿って配列された複数の照明用光源１１Ｌ′を実装しても構わない。
【００６９】
［第５実施形態］
次に、図６を参照して本発明に係る第５実施形態について説明する。本実施形態では、上述の第２実施形態と同一部分には同一符号を付し、それらの説明は省略する。なお、図６（ｂ）において一方の配線基板１２Ａのみを示し、他方の配線基板１２Ｃの図示を省略する点は上記第４実施形態と同様である。
【００７０】
本実施形態は第１及び第２実施形態と同様に導光板１３′の光入射面１３ａに対向配置される複数の照明用光源１１Ｌ及び位置検出用光源１１Ａ及び１１Ｄを実装した配線基板１２Ａを有し、また、この配線基板１２Ａは、基板面１２ｂが導光板１３′の端面に対向する姿勢で配置される。また、第２実施形態と同様に位置検出用光源１１Ａ、１１Ｄは角部１３ａｂ、１３ｄａに対向配置される。さらに、第１及び第２実施形態と同様に、照明用光源１１Ｌ及び位置検出用光源１１Ａ、１１Ｄは配線基板１２Ａの長手方向に沿って同じ姿勢で配列される。
【００７１】
しかし、本実施形態では、配線基板１２Ａの両端部１２ａｂ、１２ｄａにそれぞれ位置検出用光源１１Ａ、１１Ｄが実装され、これらの両端部１２ａｂ、１２ｄａが導光板１３′の角部に沿って屈折されることで位置検出用光源１１Ａ及び１１Ｄが導光板１３′の角部１３ａｂ、１３ｄａと対向配置される。なお、配線基板１２Ａの一方の端部１２ａｂからは接続端子部１２Ａａが延長形成される。
【００７２】
また、本実施形態では、上記配線基板１２Ａとは別に、照明用光源１１Ｌ並びに位置検出用光源１１Ｂ及び１１Ｃを実装する配線基板１２Ｃをも有する点で第２実施形態とは異なる。配線基板１２Ｃでは、辺１３Ｃの光入射面１３ｃに沿って照明用光源１１Ｌが実装されるとともに、両端部１２ｂｃ、１２ｃｄにそれぞれ位置検出用光源１２Ｂ及び１２Ｃが実装される。また、一方の端部１２ｃｄからは接続端子部１２Ｃａが延長形成される。
【００７３】
この配線基板１２Ｃにおいても、その長手方向に沿った姿勢で位置検出用光源１２Ｂ、１２Ｃが実装されており、両端部１２ｂｃ、１２ｃｄが導光板１３′の角部に沿って屈折されることで、位置検出用光源１２Ｂ、１２Ｃが角部１３ｂｃ、１３ｃｄに対向配置される。
【００７４】
本実施形態では、配線基板１２Ａ、１２Ｃのそれぞれにおいて照明用光源１１Ｌと位置検出用光源１１Ａ及び１１Ｄ、１１Ｂ及び１１Ｃが共に実装されている点で上記各実施形態（特に第２実施形態）と共通するが、二つの配線基板１２Ａと１２Ｃのそれぞれに照明用光源１１Ｌ並びに位置検出用光源１１Ａ〜１１Ｄが実装され、配線基板１２Ａと１２Ｃとが導光板１３′の相互に対向する辺１３Ａと１３Ｃに沿って配置される点では異なるが、このように構成しても、導光板１３′の周囲の張り出し量を低減することができ、照明装置の構造の簡易化を図ることができる。
【００７５】
なお、本実施形態において、配線基板１２Ｃにおいて辺１３Ｃの光入射面１３ｃに沿って配列された複数の照明用光源１１Ｌを省略しても構わない。
【００７６】
本発明の照明装置及び電気光学装置は、上述の図示例にのみ限定されるものではなく、本発明の要旨を逸脱しない範囲内において種々変更を加え得ることは勿論である。例えば、上記実施形態では、四つの位置検出用光源を用いて導光板の光出射面と平面的に重なる平面上の対象物体の平面方向（Ｘ方向及びＹ方向）の位置情報を取得する例について説明したが、少なくとも二つの位置検出用光源が配置されていれば、これらの光源間を結ぶ方向に沿った光出射面上の位置情報を取得することができる。
【００７７】
［電子機器］
最後に、図７及び図８を参照して上記各種の電気光学装置１００を搭載した電子機器の実施形態について説明する。図７は本発明に係る電子機器の一例の外観を示す概略斜視図である。図示例の電子機器２００は、車載用のカーナビゲーションシステムであり、本体２１０と、この本体２１０に接続された表示部２２０とを備えている。本体２１０には操作ボタン等を配設した操作面２１１が設けられるとともに、ＤＶＤ等の記録媒体の導入口２１２が設けられている。表示部２２０の内部には上記の電気光学装置１００が格納され、この電気光学装置１００の表示領域に形成される画像、すなわちナビゲーション画像の表示が表示部２２０の表示画面２２０ａにて視認できるように構成されている。
【００７８】
また、表示画面２２０ａ上に指やタッチペンなどの対象物体Ｏｂを配置することで、上記の位置検出光Ｌａ〜Ｌｄが反射され、光検出器１５にて検出されることにより、表示画面上の対象物体Ｏｂの位置情報を入力することができるように構成される。なお、光検出器１５は前述のように表示画面２２０ａが表装板３０で構成される場合には表示画面２２０ａの表面上に設置されることとなるが、必ずしも表面上ではなく、例えば、表装板３０の下面上に固定されていてもよく、さらに、前述のように電気光学パネル２０の内部等に設置されていてもよい。
【００７９】
図８は電子機器２００における電気光学装置１００に対する制御系（表示制御系）の全体構成を示す概略構成図である。電子機器２００は、表示情報出力源２９１と、表示情報処理回路２９２と、電源回路２９３と、タイミングジェネレータ２９４と、照明装置１０への電力供給を行う光源制御回路２９５とを含む表示制御回路２９０を有する。また、電気光学装置１００には、上述の構成を有する電気光学パネル２０と、この電気光学パネル２０を駆動する駆動回路２５と、バックライトである上記の照明装置１０とが設けられている。この駆動回路２５は、電気光学パネル２０に直接実装されたＩＣチップ等で構成される。ただし、駆動回路２５は、上記のような態様の他に、電気光学パネル２０の基板表面上に形成された電子部品や回路パターン、或いは、電気光学パネル１１に導電接続された回路基板に実装されたＩＣチップ若しくは回路パターンなどによっても構成することができる。
【００８０】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００８１】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２５へ供給する。駆動回路２５は、走査線駆動回路、信号線駆動回路及び検査回路を含む。また、電源回路２９３は、上述の各構成要素にそれぞれ所定の電圧を供給する。
【００８２】
光源制御回路２９５は、電源回路２９３から供給される電圧に基づいて照明装置１０の光源（上記照明用光源１１Ｌ、１１Ｌ′及び位置検出用光源１１Ａ〜１１Ｄ）に電力を供給し、所定の制御信号に基づいて光源の点灯の有無及びその輝度等を制御するようになっている。この光源制御回路２９５は、座標検出回路２９６からの指令に応じて位置検出用光源１１Ａ〜１１Ｄを上記第１実施形態で説明した態様で駆動する。座標検出回路２９６は、上記光源制御回路２９５を制御するとともに、光検出器１５の検出信号を受信し、位置検出用光源１１Ａ〜１１Ｄに対する制御態様と、光検出器１５の検出信号とに基づいて上記対象物体Ｏｂの位置情報（座標）を取得する。このように取得された位置情報は、図示しない電子機器の制御部に送出され、各種の制御に用いられる。すなわち、光源制御回路２９５及び座標検出回路２９６は、上記照明装置１０に構成される座標検出手段とともに電子機器２００において座標入力装置を構成している。
【００８３】
本発明に係る電子機器としては、図７に示すカーナビゲーションシステムの他に、液晶テレビ、携帯電話機、電子時計、電子手帳、電卓、ワークステーション、テレビ電話、ＰＯＳ端末機などが挙げられる。そして、これらの各種電子機器の表示部として本発明に係る電気光学装置を用いることができるため、表示面上の指やタッチペン等の対象物体Ｏｂの位置情報を容易に検出することができる。
【００８４】
尚、本発明の電気光学装置及び電子機器は、上述の図示例にのみ限定されるものではなく、本発明の要旨を逸脱しない範囲内において種々変更を加え得ることは勿論である。
【図面の簡単な説明】
【００８５】
【図１】照明装置及び電気光学装置の第１実施形態の構成を模式的に示す概略断面図。
【図２】第１実施形態の光源及び導光板の位置関係を示す平面図（ａ）及び配線基板の平面図（ｂ）。
【図３】第２実施形態の光源及び導光板の位置関係を示す平面図（ａ）及び配線基板の平面図（ｂ）。
【図４】第３実施形態の光源及び導光板の位置関係を示す平面図（ａ）及び配線基板の平面図（ｂ）。
【図５】第４実施形態の光源及び導光板の位置関係を示す平面図（ａ）及び配線基板の平面図（ｂ）。
【図６】第５実施形態の光源及び導光板の位置関係を示す平面図（ａ）及び配線基板の平面図（ｂ）。
【図７】本発明に係る電子機器の外観斜視図。
【図８】電子機器の表示制御系の概略構成図。
【符号の説明】
【００８６】
１０…照明装置、１１Ｌ、１１Ｌ′…照明用光源、１１Ａ、１１Ｂ、１１Ｃ、１１Ｄ…位置検出用光源、１３、１３′…導光板、１３ａ、１３ｂ、１３ｃ、１３ｄ…光入射面、１３ａｇ…傾斜面、１３ｅ…光出射面、１３ｆ…背面、１４…反射板、１５、１５′…光検出器、１６…光学シート、２０…電気光学パネル、２５…駆動回路、３０…表装板、Ｌ１…照明光、Ｌａ、Ｌｂ、Ｌｃ、Ｌｄ…位置検出光、１００…電気光学装置、２００…電子機器、２９５…光源制御回路、２９６…座標検出回路
【図１】
2010026966.tif 000003
【図２】
2010026966.tif 000004
【図３】
2010026966.tif 000005
【図４】
2010026966.tif 000006
【図５】
2010026966.tif 000007
【図６】
2010026966.tif 000008
【図７】
2010026966.tif 000009
【図８】
2010026966.tif 000010